(57)【要約】【課題】  電池電圧が高くても、大幅に回路を追加することなく、既存の回路で充電制御を行うことができる充電装置を提供する。【解決手段】  ２セル直列接続リチウムイオン２次電池を充電する充電装置であって、充電制御用ＦＥＴ４、充電電流検出用抵抗（Ｒｉ）３、２次電池の電池電圧から分圧電池電圧を出力する第１の電圧変換回路２１、充電制御用ＦＥＴ４からの充電電圧を分圧して分圧充電電圧を出力する第２の電圧変換回路２２、充電制御ＩＣ７およびＣＰＵ１０を備える。充電制御ＩＣ７には、分圧電池電圧から電池電圧を検出する電圧検出部１２、分圧電池電圧および分圧充電電圧から充電電流検出電圧を検出する充電電流検出部９、充電制御用ＦＥＴ４を駆動する充電出力制御部８等が設けられる。ＣＰＵ１０は、検出された電池電圧および充電電流検出電圧を基に、充電出力制御部８を制御する。【選択図】  図１
2006166619.tif 000002
【特許請求の範囲】
【請求項１】
２次電池を充電する充電装置であって、
前記２次電池の電池電圧より所定の比率だけ低い電池電圧の充電制御が可能な制御回路と、
前記２次電池の電池電圧および前記２次電池への充電電流に応じた充電電流検出電圧を前記所定の比率で低減して検出する電圧変換回路とを備え、
前記制御回路は、前記低減して検出された前記２次電池の電池電圧および前記充電電流検出電圧を基に、前記２次電池の充電制御を行う充電装置。
【請求項２】
２次電池を充電する充電装置であって、
前記２次電池に電流検出用抵抗を介して充電電圧を出力する充電電圧出力回路と、
前記２次電池の＋端子に接続され、前記２次電池の電池電圧を第１の比率で第１の電圧に変換する第１の電圧変換回路と、
前記充電電圧出力回路の出力端子に接続されるとともに、前記電流検出用抵抗を介して前記２次電池の＋端子に接続され、前記出力端子からの充電電圧を第２の比率で第２の電圧に変換する第２の電圧変換回路と、
前記第１の電圧変換回路で変換された第１の電圧によって電池電圧を検出する電池電圧検出回路と、
前記第２の電圧変換回路で変換された第２の電圧および前記第１の電圧によって充電電流に応じた充電電流検出電圧を検出する充電電流検出回路と、
前記検出された電池電圧および充電電流検出電圧を基に、前記充電電圧出力回路から出力される充電電圧を制御する制御回路とを備える充電装置。
【請求項３】
請求項２記載の充電装置であって、
前記第１の比率および前記第２の比率は同率であり、前記２次電池の電池電圧に応じて設定される充電装置。
【請求項４】
請求項２または３記載の充電装置であって、
前記制御回路は、前記電池電圧および前記充電電流検出電圧を基に設定値を演算するプロセッサと、前記第１の電圧と前記設定値との比較結果に応じて、前記充電電圧出力回路を駆動する駆動回路とを備える充電装置。
【請求項５】
請求項２記載の充電装置であって、
前記第１の電圧変換回路は、前記２次電池の＋端子とグランドとの間に直列に接続された複数の分圧抵抗によって前記電池電圧を分圧する第１の分圧回路からなり、前記第２の電圧変換回路は、前記充電電圧出力回路の出力端子とグランドとの間に直列に接続された複数の分圧抵抗によって前記充電電圧を分圧する第２の分圧回路からなる充電装置。
【請求項６】
請求項５記載の充電装置であって、
前記第１および第２の分圧回路は、それぞれボルテージフォロワ型の第１および第２のバッファアンプを備え、
前記第１の電圧および第２の電圧は、それぞれ前記第１および第２のバッファアンプを介して前記電池電圧検出回路および前記充電電流検出回路に入力される充電装置。
【請求項７】
請求項５記載の充電装置であって、
前記第１および第２の分圧回路の少なくとも一方は、可変抵抗器による分圧抵抗を有する充電装置。
【請求項８】
請求項６記載の充電装置であって、
前記第１および第２のバッファアンプの少なくとも一方は、増幅率を調整可能である充電装置。
【請求項９】
請求項２記載の充電装置であって、
前記２次電池は複数セルが直列に接続されたｎセル（ｎは２以上の整数）のリチウムイオン２次電池であり、前記制御回路は１セルのリチウムイオン２次電池を電源とする携帯電話用の制御回路であり、前記第１および第２の比率は１／ｎである充電装置。
【発明の詳細な説明】
【技術分野】
【０００１】
本発明は、２次電池を充電する充電装置に関する。
【背景技術】
【０００２】
従来、この種の充電装置として、リチウムイオン２次電池を充電するものが知られており、通常１セル当たり４．１〜４．２Ｖの充電電圧がリチウムイオン２次電池に印加される。リチウムイオン２次電池は、他の２次電池に比べ、重量エネルギ密度および体積エネルギ密度が高いので、近年、携帯電話、ＰＤＡ、ノートパソコン、携帯無線機など、多くの携帯情報通信端末に搭載されている。
【０００３】
これらのうち、携帯電話やＰＤＡでは、低消費電力化の技術が著しく発達しており、１セルのリチウムイオン２次電池で長時間駆動が可能となっている。また、これらの機器は、長年大量生産されてきたので、その充電回路はＩＣ化されており、その小型化および低価格化が極限まで進んでいる。
【０００４】
図４は従来の携帯電話用リチウムイオン２次電池を充電する充電装置の電気的構成を示す回路図である。前述したように、携帯電話は低消費電力化が進んでおり、ほぼ全ての携帯電話は１セルのリチウムイオン２次電池で駆動される。この充電装置は、ＡＣアダプタ１０６、逆流防止ダイオード１０５、充電電流検出用抵抗１０３、充電制御用ＦＥＴ１０４、携帯電話用充電制御ＩＣ１０７およびＣＰＵ１１０から構成されており、１セルのリチウムイオン２次電池１１７への充電電圧を出力する。携帯電話用充電制御ＩＣ１０７は、電流検出部１０９、電圧検出部１１２、充電出力制御部１０８、レギュレータ１２１、１２２、充電出力制御用Ｄ／Ａコンバータ１１３およびコントロールレジスタ１１４から構成される。また、ＣＰＵ１１０は、周知のＲＯＭ、ＲＡＭの他、Ａ／Ｄコンバータ１１１ａ、１１１ｂおよび制御ポート１１５を有する。
【０００５】
この充電装置では、ＣＰＵ１１０は、Ａ／Ｄコンバータ１１１ｂ、１１１ａによってそれぞれ変換される電池電圧および充電電流を監視し、最適な充電電圧および充電電流となるように、制御ポート１１５から設定値をコントロールレジスタ１１４に送る。充電出力制御部１０８は、Ｄ／Ａコンバータ１１３で変換された設定値にしたがって、充電制御用ＦＥＴ１０４のゲート電圧を制御し、充電制御用ＦＥＴ１０４を駆動する。
【０００６】
この携帯電話用リチウムイオン２次電池の充電装置では、小型化、低価格化のため、充電制御ＩＣ１０７は１セル充電専用に製作されており、電圧検出部１１２、電流検出部１０９、充電出力制御部１０８、Ｄ／Ａコンバータ１１３等の動作電圧範囲は、約４．２Ｖである。
【０００７】
一方、ノートパソコンや携帯無線機では、同様に低消費電力化が進んでいるものの、性能や通信規格を満たすためにより高い電源電圧が必要とされるので、２セル以上となる複数セルのリチウムイオン２次電池を直列に接続した電池パックが用いられている。これらの機器に内蔵された充電回路や専用充電器は、充電する電池パックのセル数に応じて、専用の回路構成および制御方式を採用し、充電出力電圧や電池電圧あるいは充電電流検出電圧を調整していた（特許文献１参照）。
【０００８】
【特許文献１】国際公開第０１／０５９９０５号パンフレット
【発明の開示】
【発明が解決しようとする課題】
【０００９】
しかしながら、上記従来の充電装置では、以下に掲げる問題があり、その改善が要望されていた。すなわち、２セル以上となる複数セルのリチウムイオン２次電池が直列に接続された電池パックを用いたノートパソコンや携帯無線機およびその専用充電器では、複数セルの充電電圧に合わせるために、専用の充電回路を設ける必要があり、機器の小型化の妨げになったり、コストアップに繋がるなどの問題があった。このように、送信出力の大きな携帯無線機などでは、複数セルが直列に接続されたリチウムイオン２次電池パックを用いる場合、その充電装置には専用回路を設ける必要があり、小型かつ低価格である携帯電話用充電制御ＩＣを使うことはできなかった。
【００１０】
本発明は、上記事情に鑑みてなされたもので、電池電圧が高くても、大幅に回路を追加することなく、既存の回路で充電制御を行うことができる充電装置を提供することを目的とする。
【課題を解決するための手段】
【００１１】
本発明の充電装置は、２次電池を充電する充電装置であって、前記２次電池の電池電圧より所定の比率だけ低い電池電圧の充電制御が可能な制御回路と、前記２次電池の電池電圧および前記２次電池への充電電流に応じた充電電流検出電圧を前記所定の比率で低減して検出する電圧変換回路とを備え、前記制御回路は、前記低減して検出された前記２次電池の電池電圧および前記充電電流検出電圧を基に、前記２次電池の充電制御を行うものである。
【００１２】
これにより、２次電他の電池電圧が高くても、大幅に回路を追加することなく、既存の回路で充電制御を行うことができる。
【００１３】
本発明の充電装置は、２次電池を充電する充電装置であって、前記２次電池に電流検出用抵抗を介して充電電圧を出力する充電電圧出力回路と、前記２次電池の＋端子に接続され、前記２次電池の電池電圧を第１の比率で第１の電圧に変換する第１の電圧変換回路と、前記充電電圧出力回路の出力端子に接続されるとともに、前記電流検出用抵抗を介して前記２次電池の＋端子に接続され、前記出力端子からの充電電圧を第２の比率で第２の電圧に変換する第２の電圧変換回路と、前記第１の電圧変換回路で変換された第１の電圧によって電池電圧を検出する電池電圧検出回路と、前記第２の電圧変換回路で変換された第２の電圧および前記第１の電圧によって充電電流に応じた充電電流検出電圧を検出する充電電流検出回路と、前記検出された電池電圧および充電電流検出電圧を基に、前記充電電圧出力回路から出力される充電電圧を制御する制御回路とを備えるものである。
【００１４】
これにより、電池電圧が高くても、大幅に回路を追加することなく、既存の回路で充電制御を行うことができる。したがって、ユーザの利便性を向上させるべく小型化することができ、かつ材料費および開発費を削減してコストを抑え、ユーザへの販売価格を低減できる。また、小型かつ安価な携帯電話用充電制御ＩＣ等を利用することも可能である。
【００１５】
また、上記の充電装置であって、前記第１の比率および前記第２の比率は同率であり、前記２次電池の電池電圧に応じて設定されるものとする。これにより、種々の電池電圧に対して簡単な回路構成で対応することができる。
【００１６】
また、上記の充電装置であって、前記制御回路は、前記電池電圧および前記充電電流検出電圧を基に設定値を演算するプロセッサと、前記第１の電圧と前記設定値との比較結果に応じて、前記充電電圧出力回路を駆動する駆動回路とを備えるものとする。これにより、小型かつ安価な携帯電話用充電制御ＩＣおよびその制御プログラムを共通して利用することも可能である。
【００１７】
また、上記の充電装置であって、前記第１の電圧変換回路は、前記２次電池の＋端子とグランドとの間に直列に接続された複数の分圧抵抗によって前記電池電圧を分圧する第１の分圧回路からなり、前記第２の電圧変換回路は、前記充電電圧出力回路の出力端子とグランドとの間に直列に接続された複数の分圧抵抗によって前記充電電圧を分圧する第２の分圧回路からなるものとする。これにより、比較的簡単な回路で電圧変換を行うことができる。
【００１８】
また、上記の充電装置であって、前記第１および第２の分圧回路は、それぞれボルテージフォロワ型の第１および第２のバッファアンプを備え、前記第１の電圧および第２の電圧は、それぞれ前記第１および第２のバッファアンプを介して前記電池電圧検出回路および前記充電電流検出回路に入力されるものとする。これにより、充電電流検出回路および電池電圧検出回路の入力インピーダンスの影響が無くなり、正確な電圧変換を行うことができる。
【００１９】
また、上記の充電装置であって、前記第１および第２の分圧回路の少なくとも一方は、可変抵抗器による分圧抵抗を有するものとする。これにより、可変抵抗器の抵抗値を調整することで、充電電流検出回路および電池電圧検出回路に入力される電圧を、各回路素子の特性のばらつきに影響を受けることなく、正確に分圧することができ、正確な充電制御が可能となる。
【００２０】
また、上記の充電装置であって、前記第１および第２のバッファアンプの少なくとも一方は、増幅率を調整可能であるものとする。これにより、バッファアンプの増幅率を調整することで、充電電流検出回路および電池電圧検出回路に入力される電圧を、各回路素子の特性のばらつきに影響を受けることなく、正確に分圧することができ、正確な充電制御が可能となる。
【００２１】
また、上記の充電装置であって、前記２次電池は複数セルが直列に接続されたｎセル（ｎは２以上の整数）のリチウムイオン２次電池であり、前記制御回路は１セルのリチウムイオン２次電池を電源とする携帯電話用の制御回路であり、前記第１および第２の比率は１／ｎであるものとする。これにより、低消費電力化およびＩＣ化の進んだ携帯電話用制御回路を利用することができる。
【発明の効果】
【００２２】
本発明によれば、電池電圧が高くても、大幅に回路を追加することなく、既存の回路で充電制御を行うことが可能な充電装置を提供できる。
【発明を実施するための最良の形態】
【００２３】
本実施形態では、２セルあるいは複数セルを直列接続したリチウムイオン２次電池パックを用いる通信機器や情報処理機器用の充電回路あるいは専用充電器に適用した充電装置の構成例を示す。
【００２４】
（第１の実施形態）
図１は本発明の第１の実施形態に係る充電装置の電気的構成を示す回路図である。この充電装置は、ＡＣアダプタ６、逆流防止ダイオード５、充電電流検出用抵抗（Ｒｉ）３、充電電圧出力回路に相当する充電制御用ＦＥＴ４、第１の電圧変換回路２１、第２の電圧変換回路２２、充電制御ＩＣ７、および各種処理を行うプロセッサであるＣＰＵ１０を備えて構成されており、２セルのリチウムイオン２次電池２４への充電電圧を出力する。
【００２５】
第１の電圧変換回路２１は、充電電流検出用抵抗（Ｒｉ）３の一端および２次電池２４の＋端子に接続された接続点と接地（グランド）との間に直列に接続された分圧抵抗Ｒ１、Ｒ２を有する分圧回路からなり、抵抗Ｒ１、Ｒ２の中間点から分圧電圧が出力される。同様に、第２の電圧変換回路２２は、充電電流検出用抵抗（Ｒｉ）３の他端および充電制御用ＦＥＴ４の出力端子に接続された接続点と接地（グランド）との間に直列に接続された分圧抵抗Ｒ１、Ｒ２を有する分圧回路からなり、抵抗Ｒ１、Ｒ２の中間点から分圧電圧が出力される。本実施形態では、第１の電圧変換回路２１および第２の電圧変換回路２２はそれぞれ同一の抵抗値を有する分圧抵抗Ｒ１、Ｒ２で構成され、同一の回路構成となっているが、異なる回路構成としてもよい。
【００２６】
充電制御ＩＣ７は、充電電流検出回路に相当する電流検出部９、電池電圧検出回路に相当する電圧検出部１２、駆動回路に相当する充電出力制御部８、レギュレータ（ＲＥＧ）２５、２６、充電出力制御用Ｄ／Ａコンバータ（ＤＡＣ）１３およびその設定を行うコントロールレジスタ１４を有して構成される。この充電制御ＩＣ７には、１セルのリチウムイオン２次電池を充電する携帯電話用充電制御ＩＣが採用されている。また、ＣＰＵ１１０は、周知のＲＯＭ２７、ＲＡＭ２８、Ａ／Ｄコンバータ１１１ａ、１１１ｂ、制御ポート１５等を内蔵し、ＲＯＭに記憶された制御プログラムに従って充電制御を行う。これらの充電制御ＩＣ７およびＣＰＵ１０によって充電制御を行う制御回路が構成される。
【００２７】
上記構成を有する充電装置の充電動作を示す。図２は充電制御処理手順を示すフローチャートである。この制御プログラムは、ＲＯＭ２７に格納され、１セルのリチウムイオン２次電池を電源とする携帯電話用充電制御プログラムと同じであり、ＣＰＵ１０によって実行される。ＣＰＵ１０は、Ａ／Ｄコンバータ１１ｂ、１１ａでそれぞれ変換される電池電圧および充電電流（充電電流検出電圧）を検出し（ステップＳ１、Ｓ２）、最適な充電電圧および充電電流となるように、制御ポート１５から設定値をコントロールレジスタ１４に送る（ステップＳ３）。コントロールレジスタ１４がその設定値をＤ／Ａコンバータ１３に出力すると、充電出力制御部８は、Ｄ／Ａコンバータ１３で変換された設定値と第１の電圧変換回路２１からの分圧電池電圧とを比較し、その差に応じて、充電制御用ＦＥＴ４のゲート電圧を制御する。充電制御用ＦＥＴ４が駆動されると、充電制御用ＦＥＴ４から２セル直列接続のリチウムイオン２次電池への充電電圧が出力される。これにより、分圧電池電圧が４．１Ｖ〜４．２Ｖであり、かつ充電電流が規定値内に保たれるように制御される。
【００２８】
この後、リチウムイオン２次電池２４が満充電になったか否かを判別する（ステップＳ４）。ここで、満充電の判定方法として、充電電流が規定値まで減少したことを検出し、満充電と判定する。満充電になっていない場合、ステップＳ１の処理に戻り、満充電になると、充電を停止し（ステップＳ５）、本処理を終了する。
【００２９】
この充電制御の動作について詳述する。第１の電圧変換回路２１は、充電電流検出用抵抗（Ｒｉ）３の下流側の電圧（電池電圧）をＲ２／（Ｒ１＋Ｒ２）に分圧する。この分圧された電池電圧は、電流検出部９、電圧検出部１２および充電出力制御部８に入力される。電圧検出部１２では、分圧電池電圧をＣＰＵ１０内のＡ／Ｄコンバータ１１ｂに出力する。また、第２の電圧変換回路２２は、充電電流検出用抵抗（Ｒｉ）３の上流側の電圧（充電電圧）をＲ２／（Ｒ１＋Ｒ２）に分圧する。この分圧された充電電圧は、電流検出部９に入力される。電流検出部９では、分圧電池電圧と分圧充電電圧との差に相当する充電電流検出電圧をＣＰＵ１０内のＡ／Ｄコンバータ１１ａに出力する。充電電流は、この充電電流検出電圧および充電電流検出用抵抗（Ｒｉ）３の抵抗値によって算出可能である。本実施形態では、２セル直列接続のリチウムイオン２次電池を充電するので、抵抗Ｒ１、Ｒ２は下記数式（１）の関係を有する。
Ｒ１＝Ｒ２    ……（１）
【００３０】
この場合、各分圧電圧は１／２に低減されるので、電流検出部９、電圧検出部１２および充電出力制御部８に入力される電圧は、１セルのリチウムイオン２次電池を充電する場合と等しい電圧となる。したがって、ＣＰＵ１０内のＡ／Ｄコンバータ１１ａ、１１ｂや制御ポート１５、充電出力制御部８の他、充電制御ＩＣ７の制御方法も、１セルのリチウムイオン２次電池を充電する場合と同様で済む。この結果、２セルのリチウムイオン２次電池の充電に際しても、携帯電話用充電制御ＩＣを利用可能となり、ＣＰＵ１０内のＲＯＭ２７に格納された制御プログラムも携帯電話用のものを共通して利用できる。
【００３１】
また、３セル直列接続のリチウムイオン２次電池を充電する場合、抵抗Ｒ１、Ｒ２は下記数式（２）の関係を有する。
Ｒ１＝Ｒ２×２    ……（２）
【００３２】
この場合、各分圧電圧は１／３に低減されるので、電流検出部９、電圧検出部１２および充電出力制御部８に入力される電圧は、１セルのリチウムイオン２次電池を充電する場合と等しい電圧となる。
【００３３】
さらに、ｎセル直列接続のリチウムイオン２次電池を充電する場合、抵抗Ｒ１、Ｒ２は下記数式（３）の関係を有する。
Ｒ１＝Ｒ２×（ｎ−１）    ……（３）
【００３４】
この場合、各分圧電圧は１／ｎに低減されるので、電流検出部９、電圧検出部１２および充電出力制御部８に入力される電圧は、１セルのリチウムイオン２次電池を充電する場合と等しい電圧となる。
【００３５】
したがって、３セル以上の場合でも、ＣＰＵ１０内のＡ／Ｄコンバータ１１ａ、１１ｂや制御ポート１５、充電出力制御部８の他、充電制御ＩＣ７の制御方法も、１セルのリチウムイオン２次電池を充電する場合と同様で済む。この結果、３セル以上のリチウムイオン２次電池の充電に際しても、携帯電話用充電制御ＩＣを利用可能となり、ＣＰＵ１０内のＲＯＭ２７に格納された制御プログラムも携帯電話用のものを共通して利用できる。
【００３６】
従来、２セルあるいは複数（ｎ）セルを直列接続した電池パックでは、充電時の電池電圧を４．１Ｖ〜４．２Ｖの２倍あるいはｎ倍に保つ必要があり、携帯電話用充電制御ＩＣの制御電圧を大きく越えており、ＩＣ単独では制御できなくなる。これに対し、第１の実施形態では、複数セルを直列接続した電池パックであっても、１セルのリチウムイオン２次電池の充電用に設計された小型で安価な携帯電話用充電制御ＩＣを共通に採用することができる。このため、機器の小型、軽量化、コストダウンを図ることができる。
【００３７】
（第２の実施形態）
図３は本発明の第２の実施形態に係る充電装置の電気的構成を示す回路図である。前記第１の実施形態と同一の構成要素については、同一の符号を付すことによりその説明を省略する。
【００３８】
第２の実施形態は、前記第１の実施形態と比べ、第１の電圧変換回路２１および第２の電圧変換回路２２の構成を変更したものである。すなわち、第１の電圧変換回路２１および第２の電圧変換回路２２は、それぞれバッファアンプ３１、３２を有し、各抵抗Ｒ１、Ｒ２の中間点からの分圧電圧をバッファアンプ３１、３２を介して出力する。バッファアンプ３１、３２は、増幅率が１倍であるボルテージフォロワ型のものであり、インピーダンス変換を行う。
【００３９】
バッファアンプを用いない場合、電圧検出部および電流検出部の入力インピーダンスが低かったり、インピーダンス値のばらつきにより電圧変換回路の分圧抵抗比が変わってしまい、電圧低減率が不適切になってしまうおそれがある。これに対し、第２の実施形態では、各分圧電圧をバッファアンプ３１、３２を経由して充電制御ＩＣ７に入力する構成としている。これによって、電圧変換回路に対する電流検出部９および電圧検出部１３の入力インピーダンスの影響を無くすことができ、正確な電圧変換が可能となり、充電制御の精度を高めることができる。
【００４０】
なお、本発明は上記実施形態の構成に限られるものではなく、種々の変形実施が可能である。例えば、第１、第２の実施形態では、第１の電圧変換回路２１、２２内の抵抗Ｒ１、Ｒ２は固定抵抗であったが、少なくとも一方を可変抵抗にしてもよい。この可変抵抗を調整することで、電流検出部９および電圧検出部１２に入力される電圧を、各回路素子の特性のばらつきに影響されることなく、正確に１／ｎに分圧することができ、より正確な充電制御を行うことができる。
【００４１】
また、第２の実施形態では、バッファアンプ３１、３２の増幅率を１倍に固定していたが、増幅率を調整可能に構成してもよい。バッファアンプの増幅率を調整することで、電流検出部９、電圧検出部１２に入力される電圧を、各回路素子の特性のばらつきに影響されることなく、正確に１／ｎに分圧することができ、より正確な充電制御を行うことができる。
【００４２】
また、上記実施形態では、リチウムイオン２次電池の充電装置に適用した場合を例示したが、ニッカド（Ｎｉ−Ｃｄ）電池、ニッケル水素（Ｎｉ−ＭＨ）電池等の充電装置に適用してもよい。また、上記実施形態では、第１および第２の電圧変換回路として、分圧回路が用いられたが、分圧回路の代わりに、ＯＰアンプ等を用いた電圧変換回路で構成してもよい。
【００４３】
上述したように、本実施形態によれば、１セルの２次電池の充電用に設計された充電制御ＩＣを共通に利用して、複数セルを直列接続した電池パックを充電することが可能であり、電池電圧が高くても、大幅に回路を追加することなく、既存の回路で充電制御を行うことができる。したがって、ユーザの利便性を向上させるべく小型化することができ、かつ材料費および開発費を削減してコストを抑え、ユーザへの販売価格を低減できる。また、小型化および低価格化が進んでいる携帯電話用充電制御ＩＣを共通に利用したり、制御プログラムも共通して利用することができる。したがって、複数セル直列接続の電池パックを使用する電子機器、およびその専用充電器等に本実施形態の充電装置を搭載することにより、充電回路の小型化および低価格化を図ることができ、しいては電子機器あるいは充電器全体の小型化、低価格化を実現できる。
【産業上の利用可能性】
【００４４】
本発明は、電池電圧が高くても、大幅に回路を追加することなく、既存の回路で充電制御を行うことが可能となる効果を有し、通信機器や情報処理機器等に使用されるリチウムイオン２次電池等を充電する充電装置等に有用である。
【図面の簡単な説明】
【００４５】
【図１】本発明の第１の実施形態に係る充電装置の電気的構成を示す回路図
【図２】本実施形態における充電制御処理手順を示すフローチャート
【図３】本発明の第２の実施形態に係る充電装置の電気的構成を示す回路図
【図４】従来の携帯電話用リチウムイオン２次電池を充電する充電装置の電気的構成を示す回路図
【符号の説明】
【００４６】
３  充電電流検出用抵抗
４  充電制御用ＦＥＴ
７  充電制御ＩＣ
８  充電出力制御回路
９  電流検出部
１０  ＣＰＵ
１２  電圧検出部
２１、２２  電圧変換回路
２４  リチウムイオン２次電池
２７  ＲＯＭ
３１、３２  バッファアンプ
【図１】
2006166619.tif 000003
【図２】
2006166619.tif 000004
【図３】
2006166619.tif 000005
【図４】
2006166619.tif 000006